【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
隣接する太陽電池セルの電極同士を電気的に接続するための帯状の導電部材を備え、
この導電部材には、同一の太陽電池セルの受光面側かその裏面側かのいずれかの同一面側の電極に接続される部分の間で太陽電池セルの電極に接続されない位置にストレスリリーフ部が設けられ、
このストレスリリーフ部は、前記導電部材の短手方向に沿って切断した場合の断面積が部分的に小さくなっている小断面積部を含むインターコネクタ。
【請求項２】
前記小断面積部は、前記導電部材の両側端部の切欠き部により形成される、請求項１に記載のインターコネクタ。
【請求項３】
前記小断面積部は、前記導電部材の両側端部の切欠き部により形成され、
これらの切欠き部は、前記導電部材の導電部材の長手方向に沿って互いに位置をずらすように配置される、請求項１に記載のインターコネクタ。
【請求項４】
複数の前記導電部材が連続してリール状に収納された、請求項１から３のいずれかに記載のインターコネクタ。
【請求項５】
受光面側またはその裏面側に電極を有する太陽電池セルと、
この太陽電池セルの電極に接続される帯状の導電部材を含むインターコネクタとを備え、
前記太陽電池セルの電極には、同一面側において前記インターコネクタと接続されない部分の両側に前記インターコネクタと接続される部分が設けられ、
前記インターコネクタの導電部材には、前記太陽電池セルの電極と接続されない部分にストレスリリーフ部が設けられ、
このストレスリリーフ部は、前記導電部材の短手方向に沿って切断した場合の断面積が部分的に小さくなっている小断面積部を含むインターコネクタ付き太陽電池セル。
【請求項６】
前記小断面積部は、前記導電部材の両側端部の切欠き部により形成される、請求項５に記載のインターコネクタ付き太陽電池セル。
【請求項７】
前記小断面積部は、前記導電部材の両側端部の切欠き部により形成され、
これらの切欠き部は、前記導電部材の導電部材の長手方向に沿って互いに位置をずらすように配置される、請求項５に記載のインターコネクタ付き太陽電池セル。
【請求項８】
請求項５から７のいずれかに記載のインターコネクタ付き太陽電池セルのインターコネクタが、前記太陽電池セルに隣接する別の太陽電池セルの電極に接続される太陽電池ストリング。
【請求項９】
請求項８に記載の太陽電池ストリングを製造するための方法であって、太陽電池セルの電極とインターコネクタとを、ヒーター加熱、ランプ加熱、およびリフロー方式のいずれか１つによって接続する工程を備える、太陽電池ストリングの製造方法。
【請求項１０】
請求項８に記載の太陽電池ストリングと、この太陽電池ストリングを封止する封止材と、前記太陽電池ストリングから封止材を介して外部に延びる一対の外部端子とを備える、太陽電池モジュール。
【手続補正２】
【補正対象書類名】明細書
【補正対象項目名】発明の名称
【補正方法】変更
【補正の内容】
【発明の名称】インターコネクタ、インターコネクタ付き太陽電池セル、それを用いる太陽電池ストリングおよびその製造方法、ならびに、その太陽電池ストリングを用いる太陽電池モジュール
【手続補正３】
【補正対象書類名】明細書
【補正対象項目名】０００１
【補正方法】変更
【補正の内容】
【０００１】
この発明は、太陽電池セル同士を接続するインターコネクタ、インターコネクタ付き太陽電池セル、それを用いる太陽電池ストリング、およびその太陽電池ストリングを用いる太陽電池モジュールに関し、より詳しくは、太陽電池セルがインターコネクタによって接続される際に各太陽電池セルに生ずる反りを低減することのできるインターコネクタに関するものである。
【手続補正４】
【補正対象書類名】明細書
【補正対象項目名】００１２
【補正方法】変更
【補正の内容】
【００１２】
この発明は、このような事情を考慮してなされたものであり、太陽電池セルとの接続後に太陽電池セルに生ずる反りを低減でき、接続後の信頼性にも優れたインターコネクタ、インターコネクタ付き太陽電池セル、それを用いる太陽電池ストリングおよび太陽電池モジュールを提供することを目的とする。
【手続補正５】
【補正対象書類名】明細書
【補正対象項目名】００１３
【補正方法】変更
【補正の内容】
【００１３】
上記課題を解決する本願発明のインターコネクタは、一つの局面においては、隣接する太陽電池セルの電極同士を電気的に接続する帯状の導電部材を備え、この導電部材には、同一の太陽電池セルの受光面側かその裏面側かのいずれかの同一面側の電極に接続される部分の間で太陽電池セルの電極に接続されない位置にストレスリリーフ部が設けられ、このストレスリリーフ部は、導電部材の短手方向に沿って切断した場合の断面積が部分的に小さくなっている小断面積部を含む。
【手続補正６】
【補正対象書類名】明細書
【補正対象項目名】００１４
【補正方法】変更
【補正の内容】
【００１４】
本発明のインターコネクタの一実施の形態においては、小断面積部は、導電部材の両側端部の切欠き部により形成される。
また、本発明の一実施の形態においては、複数の導電部材が連続してリール状に収納される。
【手続補正７】
【補正対象書類名】明細書
【補正対象項目名】００１５
【補正方法】変更
【補正の内容】
【００１５】
本発明のインターコネクタ付き太陽電池セルは、受光面側またはその裏面側に電極を有する太陽電池セルと、この太陽電池セルの電極に接続される帯状の導電部材を含むインターコネクタとを備える。太陽電池セルの電極には、同一面側においてインターコネクタと接続されない部分の両側にインターコネクタと接続される部分が設けられ、インターコネクタの導電部材には、太陽電池セルの電極と接続されない部分にストレスリリーフ部が設けられる。このストレスリリーフ部は、導電部材の短手方向に沿って切断した場合の断面積が部分的に小さくなっている小断面積部を含む。
【手続補正８】
【補正対象書類名】明細書
【補正対象項目名】００１６
【補正方法】変更
【補正の内容】
【００１６】
本発明のインターコネクタ付き太陽電池セルの小断面積部は、たとえば、導電部材の両側端部の切欠き部により形成され、これらの切欠き部は、導電部材の導電部材の長手方向に沿って互いに位置をずらすように配置される。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
上記各インターコネクタを適用した本発明の太陽電池ストリングは、インターコネクタ付き太陽電池セルのインターコネクタが、太陽電池セルに隣接する別の太陽電池セルの電極に接続される。
【手続補正１１】
【補正対象書類名】明細書
【補正対象項目名】００８１
【補正方法】変更
【補正の内容】
【００８１】
図１６（ａ）は本発明実施例１の結晶シリコン太陽電池セル表電極パターンの例であり、図１６（ｂ）は本発明実施例１の結晶シリコン太陽電池セル裏電極パターンの例である。図１６（ａ）に示したように、表電極メイングリッドである受光面電極８ａの中程に、受光面電極８ａが途切れた２箇所の空隙（非接続部）１０ａが設けられており、これによりメイングリッドは３つに分割されている。さらに、図１６（ｂ）に示したように、裏の銀電極／インターコネクタ接続部と表の銀電極／インターコネクタ接続部が表裏で対称になるように設計する。すなわち、裏面の銀電極８ｂには、受光面電極８ａの空隙１０ａに対応する裏側の位置に、当該銀電極８ｂが途切れた部分１０ｂが設けられている。このように設計された太陽電池セルに対してインターコネクタを接続した様子を示したのが、図１７である。図１７は本発明実施例１の結晶シリコン太陽電池セルをインターコネクタにより接続した様子を示す断面図である。表電極メイングリッドに設けられた空隙の部分ではインターコネクタはグリッドとは接続されず、この空隙の部分にインターコネクタの小断面積部７を配置するようにする。また、裏面ではアルミ電極部分６ではインターコネクタと太陽電池セルは半田付けされず、銀電極部分でのみ半田付けされる。ここでインターコネクタの小断面積部７の部分にこのアルミ電極を配置するようにする。
【手続補正１２】
【補正対象書類名】明細書
【補正対象項目名】００８２
【補正方法】変更
【補正の内容】
【００８２】
また、図１７に示したように、表のインターコネクタと表銀電極との接続部分と、裏のインターコネクタと裏面銀電極との接続部分とがちょうど同じ位置に配置することによって、インターコネクタと太陽電池セルの熱膨張係数差によって生じる応力が表と裏でほぼ等しくなる。したがって、太陽電池セルの反りが起こる原因の一である、セルとインターコネクタ間の熱膨張係数に起因する応力が、表と裏でバランスが保たれる。つまり、上記のような電極パターンにし、各銀電極とインターコネクタが接続しない部分に各小断面積部７を配置することによって、表と裏から等しい力が太陽電池セルにかかることになる。これらの効果によって太陽電池セルの反りが低減され、接続不良やセル割れの発生を防ぐことができる。
【手続補正１３】
【補正対象書類名】図面
【補正対象項目名】図１７
【補正方法】変更
【補正の内容】
【図１７】
2007150368.tif 000001